【手続補正書】
【提出日】平成22年4月9日(2010.4.9)
【手続補正１】
【補正対象書類名】特許請求の範囲
【補正対象項目名】全文
【補正方法】変更
【補正の内容】
【特許請求の範囲】
【請求項１】
ノイズリデューサと、
デインターレーサと、
第１のフィールドバッファおよび第２のフィールドバッファを有するメモリと
を備え、
前記第１のフィールドバッファは、前記ノイズリデューサの出力を受け取り、
前記ノイズリデューサは、前記第２のフィールドバッファの出力を受け取り、
前記デインターレーサは、前記ノイズリデューサの前記出力、前記第２のフィールドバッファの前記出力、および前記第１のフィールドバッファの出力と結合する、
共有メモリビデオ処理システム。
【請求項２】
前記ノイズリデューサは、ライブフィールド入力信号を受け取ってノイズリダクション済ライブフィールドを出力する
請求項１に記載のシステム。
【請求項３】
前記ノイズリダクション済ライブフィールドは前記第１のフィールドバッファに格納され、
前記第１のフィールドバッファの前記出力は１回遅延されたノイズリダクション済ライブフィールドを含む、
請求項２に記載のシステム。
【請求項４】
前記１回遅延されたノイズリダクション済ライブフィールドは前記第２のフィールドバッファに格納され、
前記第２のフィールドバッファの前記出力は２回遅延されたノイズリダクション済ライブフィールドを含む、
請求項３に記載のシステム。
【請求項５】
前記ノイズリデューサおよび前記デインターレーサは、前記第１のフィールドバッファおよび前記第２のフィールドバッファのみを用いてビデオ信号を処理する、
請求項１から請求項４までの何れか一項に記載のシステム。
【請求項６】
第１のフィールドバッファに第１のノイズリダクション済ライブフィールドを格納する段階と、
第１のフィールドバッファに第１のノイズリダクション済ライブフィールドを格納する段階と並行して、前記第１のノイズリダクション済ライブフィールドをデインターレーサに供給する段階と、
第２のフィールドバッファの以前に格納された内容をノイズリデューサおよび前記デインターレーサに供給する段階と、
前記第１のフィールドバッファの以前に格納された内容を前記第２のフィールドバッファに移して、前記第１のフィールドバッファの前記以前に格納された内容を前記デインターレーサに供給する段階と
を含む、
ビデオ処理システムにおいてメモリを共有する方法。
【請求項７】
前記第１のフィールドバッファの前記以前に格納された内容は、第２のノイズリダクション済ライブフィールドを含む
請求項６に記載の方法。
【請求項８】
前記第２のフィールドバッファの前記以前に格納された内容は、第３のノイズリダクション済ライブフィールドを含む
請求項７に記載の方法。
【請求項９】
第１のライブフィールドと前記第２のフィールドバッファの前記以前に格納された内容とを前記ノイズリデューサで処理することによって、前記第１のノイズリダクション済ライブフィールドを生成する段階をさらに含む、
請求項６から請求項８までの何れか一項に記載の方法。
【請求項１０】
デインターレースビデオ出力を生成するべく、前記第１のノイズリダクション済ライブフィールドと、前記第１のフィールドバッファの前記以前に格納された内容と、前記第２のフィールドバッファの前記以前に格納された内容とを前記デインターレーサで処理する段階をさらに含む、
請求項６から請求項９までの何れか一項に記載の方法。
【請求項１１】
共有メモリビデオ処理システムであって、
前記システムは、
ライブビデオフィールドと、１回遅延されたノイズリダクション済ビデオフィールドと、２回遅延されたノイズリダクション済ビデオフィールドとを含む少なくとも３つの連続するビデオフィールドとを処理し、
前記２回遅延されたノイズリダクション済ビデオフィールドを格納する第１の共有フィールドバッファと、
前記ライブビデオフィールドと前記２回遅延されたノイズリダクション済ビデオフィールドとを受け取り、ノイズリダクション済ライブビデオフィールドを供給するノイズリデューサと、
前記ノイズリダクション済ライブビデオフィールドと、前記１回遅延されたノイズリダクション済ビデオフィールドと、前記２回遅延されたノイズリダクション済ビデオフィールドとを受け取り、ノイズリダクション済デインターレース出力ビデオフィールドを供給するデインターレーサと、
を備える
システム。
【請求項１２】
前記１回遅延されたノイズリダクション済ビデオフィールドを格納する第２の共有フィールドバッファをさらに備え、
前記２回遅延されたノイズリダクション済ビデオフィールドは、前記ライブビデオフィールドが受け取られると、第２の共有フィールドバッファから前記第１の共有フィールドバッファへと移され、
前記ノイズリダクション済ライブビデオフィールドは、前記１回遅延されたノイズリダクション済ビデオフィールドとして、前記第２の共有フィールドバッファに格納される
請求項１１に記載のシステム。
【請求項１３】
メモリデバイスは前記第１の共有フィールドバッファと前記第２の共有フィールドバッファとを有し、
前記メモリデバイスは１つの書き込みポートと２つの読み出しポートとを有する
請求項１２に記載のシステム。
【請求項１４】
前記ノイズリデューサは前記書き込みポートと前記２つの読み出しポートのうち一方の読出しポートとを制御するべく動作することができ、
前記デインターレーサは前記２つの読み出しポートのうち他方の読み出しポートを制御するべく動作することができる、
請求項１３に記載のシステム。
【請求項１５】
共有メモリビデオ処理システムを動作させる方法であって、
前記共有メモリビデオ処理システムは、ライブビデオフィールドと、１回遅延されたノイズリダクション済ビデオフィールドと、２回遅延されたノイズリダクション済ビデオフィールドとを含む少なくとも３つの連続するビデオフィールドを処理し、
前記方法は、
第１の共有フィールドバッファに前記２回遅延されたノイズリダクション済ビデオフィールドを格納する段階と、
ノイズリダクション済ライブビデオフィールドを供給するべく、前記ライブビデオフィールドと前記２回遅延されたノイズリダクション済ビデオフィールドとを処理する段階と、
ノイズリダクション済デインターレース出力ビデオフィールドを供給するべく、前記第１の共有フィールドバッファからの前記２回遅延されたノイズリダクション済ビデオフィールドと、前記１回遅延されたノイズリダクション済ビデオフィールドと、前記ノイズリダクション済ライブビデオフィールドとを処理する段階と
を含む方法。
【請求項１６】
前記ライブビデオフィールドを受け取る段階と、
前記２回遅延されたノイズリダクション済ビデオフィールドを、第２の共有フィールドバッファから前記第１の共有フィールドバッファへと移す段階と、
前記１回遅延されたノイズリダクション済ビデオフィールドを供給するべく、前記ノイズリダクション済ライブビデオフィールドを前記第２の共有フィールドバッファに格納する段階と、
をさらに含む、
請求項１５に記載の方法。
【請求項１７】
前記２回遅延されたノイズリダクション済ビデオフィールドに対してノイズリダクション処理およびデインターレース処理を実行する段階をさらに含む、
請求項１６に記載の方法。
【請求項１８】
前記第１の共有フィールドバッファおよび前記第２の共有フィールドバッファを有するメモリデバイスの２つの読み出しポートの一方と、書き込みポートとを制御する段階と、
前記２つの読み出しポートの他方を制御する段階と、
をさらに含む、
請求項１７に記載の方法。
【手続補正２】
【補正対象書類名】明細書
【補正対象項目名】００６３
【補正方法】変更
【補正の内容】
【００６３】
図７から図９は、デコーダ４２２を用いてビデオ信号４２６または４２８（図４）を生成する３つの動作モードの一例を示す図である。これらの３つの動作モードは、例えば、コンポジットビデオ信号、ｓ−ビデオ信号およびコンポーネントビデオ信号を供給するとしてもよい。
【手続補正３】
【補正対象書類名】明細書
【補正対象項目名】０１４５
【補正方法】変更
【補正の内容】
【０１４５】
上記のように構成することによって、共有ストレージを用いて高品質のビデオチャネルストリームを複数供給する装置および方法が得られる。当業者であれば、上述した実施形態以外でも本発明を実施し得ることに想到するであろう。上述の実施形態は、本発明を限定する目的ではなく、本発明を説明する目的で記載されており、本発明は本願の請求項によってのみ限定される。
なお、本願明細書には、以下の項目１から項目７２が記載されている。
（項目１）
ノイズリデューサと、
デインターレーサと、
第１のフィールドバッファおよび第２のフィールドバッファを有するメモリと、
を備え、
上記第１のフィールドバッファは、上記ノイズリデューサの出力を受け取り、
上記ノイズリデューサは、上記第２のフィールドバッファの出力を受け取り、
上記デインターレーサは、上記ノイズリデューサの上記出力と、上記第２のフィールドバッファの上記出力と、上記第１のフィールドバッファの上記出力とを受け取る、
共有メモリビデオ処理システム。
（項目２）
上記ノイズリデューサは、ライブフィールド入力信号を受け取ってノイズリダクション済ライブフィールドを出力する、
項目１に記載のシステム。
（項目３）
上記ノイズリダクション済ライブフィールドは上記第１のフィールドバッファに格納され、上記第１のフィールドバッファの上記出力は１回遅延されたノイズリダクション済ライブフィールドを含む、
項目２に記載のシステム。
（項目４）
上記１回遅延されたノイズリダクション済ライブフィールドは上記第２のフィールドバッファに格納され、上記第２のフィールドバッファの上記出力は２回遅延されたノイズリダクション済ライブフィールドを含む、
項目３に記載のシステム。
（項目５）
上記ノイズリデューサおよび上記デインターレーサは第１のデバイスにあり、上記メモリは第２のデバイスにある、
項目１に記載のシステム。
（項目６）
上記ノイズリデューサおよび上記デインターレーサは、上記第１のフィールドバッファおよび上記第２のフィールドバッファのみを用いてビデオ信号を処理する、
項目１に記載のシステム。
（項目７）
第１のフィールドバッファに第１のノイズリダクション済ライブフィールドを格納することと、
第２のフィールドバッファの以前に格納された内容をノイズリデューサおよびデインターレーサに供給することと、
上記第１のフィールドバッファの以前に格納された内容を上記第２のフィールドバッファに移して、上記第１のフィールドバッファの上記以前に格納された内容をデインターレーサに供給することと、
を含む、ビデオ処理システムにおいてメモリを共有する方法。
（項目８）
上記第１のフィールドバッファの上記以前に格納された内容は、第２のノイズリダクション済ライブフィールドを含む、
項目７に記載の方法。
（項目９）
上記第２のフィールドバッファの上記以前に格納された内容は、第３のノイズリダクション済ライブフィールドを含む、
項目８に記載の方法。
（項目１０）
第１のライブフィールドと上記第２のフィールドバッファの上記以前に格納された内容とを上記ノイズリデューサで処理することによって、上記第１のノイズリダクション済ライブフィールドを生成すること、
をさらに含む、項目７に記載の方法。
（項目１１）
デインターレースビデオ出力を生成するべく、上記第１のノイズリダクション済ライブフィールドと、上記第１のフィールドバッファの上記以前に格納された内容と、上記第２のフィールドバッファの上記以前に格納された内容とを上記デインターレーサで処理すること、
をさらに含む、項目７に記載の方法。
（項目１２）
上記ノイズリデューサおよび上記デインターレーサは第１のデバイスにあり、上記第１のフィールドバッファおよび上記第２のフィールドバッファは第２のデバイスにある、
項目７に記載の方法。
（項目１３）
ライブフィールドと、遅延されたライブフィールドと、第１のノイズリダクション済ライブフィールドと、第１の遅延されたノイズリダクション済ライブフィールドとを受け取り、第２のノイズリダクション済ライブフィールドを供給するノイズリデューサと、
上記第２のノイズリダクション済ライブフィールドを受け取り、上記第１のノイズリダクション済ライブフィールドと第３のノイズリダクション済ライブフィールドとを供給する複数のフィールドバッファと、
上記ライブフィールドと、上記第１のノイズリダクション済ライブフィールドと、上記第２のノイズリダクション済ライブフィールドと、上記第３のノイズリダクション済ライブフィールドとを受け取り、上記遅延されたライブフィールドと、上記第１の遅延されたノイズリダクション済ライブフィールドと、第２の遅延されたノイズリダクション済ライブフィールドと、第３の遅延されたノイズリダクション済ライブフィールドとを供給する複数のラインバッファと、
上記第１のノイズリダクション済ライブフィールドと、上記第１の遅延されたノイズリダクション済ライブフィールドと、上記第２のノイズリダクション済ライブフィールドと、上記第２の遅延されたノイズリダクション済ライブフィールドと、上記第３のノイズリダクション済ライブフィールドと、上記第３の遅延されたノイズリダクション済ライブフィールドとを受け取るデインターレーサと、
を備える共有メモリビデオ処理システム。
（項目１４）
上記複数のフィールドバッファのうちの１つである第１のフィールドバッファは、上記第２のノイズリダクション済ライブフィールドを格納して、上記第１のフィールドバッファに以前に格納された内容を上記複数のフィールドバッファのうちの１つである第２のフィールドバッファに移す、
項目１３に記載のシステム。
（項目１５）
上記以前に格納された内容は、上記第３のノイズリダクション済ライブフィールドを含む、
項目１４に記載のシステム。
（項目１６）
上記第１のノイズリダクション済ライブフィールドは、上記第２のフィールドバッファの以前に格納された内容を含む、
項目１５に記載のシステム。
（項目１７）
上記遅延されたライブフィールド、上記第１の遅延されたノイズリダクション済ライブフィールド、上記第２の遅延されたノイズリダクション済ライブフィールド、上記第３の遅延されたノイズリダクション済ライブフィールドはそれぞれ、上記ライブフィールド、上記第１のノイズリダクション済ライブフィールド、上記第２のノイズリダクション済ライブフィールド、上記第３のノイズリダクション済ライブフィールドを少なくとも１つの時間間隔だけ遅延させたものに対応する、
項目１３に記載のシステム。
（項目１８）
上記遅延されたライブフィールド、上記第１の遅延されたノイズリダクション済ライブフィールド、上記第２の遅延されたノイズリダクション済ライブフィールド、および上記第３の遅延されたノイズリダクション済ライブフィールドはそれぞれ、少なくとも１つの時間間隔だけさらに遅延される、
項目１７に記載のシステム。
（項目１９）
上記ノイズリデューサ、上記複数のフィールドバッファ、および上記デインターレーサはそれぞれ、上記さらに遅延されたライブフィールド、上記第１の遅延されたノイズリダクション済ライブフィールド、上記第２の遅延されたノイズリダクション済ライブフィールド、上記第３の遅延されたノイズリダクション済ライブフィールドを受け取る、
項目１８に記載のシステム。
（項目２０）
上記ノイズリデューサおよび上記デインターレーサは、上記複数のフィールドバッファのうち少なくとも１つに対するアクセスを共有する、
項目１３に記載のシステム。
（項目２１）
上記ノイズリデューサおよび上記デインターレーサは、上記複数のラインバッファのうち少なくとも１つに対するアクセスを共有する、
項目１３に記載のシステム。
（項目２２）
第２のノイズリダクション済ライブフィールドを供給するべく、ライブフィールド、遅延されたライブフィールド、第１のノイズリダクション済ライブフィールド、および第１の遅延されたノイズリダクション済ライブフィールドを処理することと、
第３のノイズリダクション済ライブフィールドを供給するべく、上記第２のノイズリダクション済ライブフィールドをバッファリングすることと、
上記ライブフィールドと、上記第１のノイズリダクション済ライブフィールドと、上記第２のノイズリダクション済ライブフィールドと、上記第３のノイズリダクション済ライブフィールドとを遅延させることと、上記遅延されたライブフィールドと、上記第１の遅延されたノイズリダクション済ライブフィールドと、第２の遅延されたノイズリダクション済ライブフィールドと、第３の遅延されたノイズリダクション済ライブフィールドとを供給することと、
デインターレース出力を供給するべく、上記第１のノイズリダクション済ライブフィールドと、上記第１の遅延されたノイズリダクション済ライブフィールドと、上記第２のノイズリダクション済ライブフィールドと、上記第２の遅延されたノイズリダクション済ライブフィールドと、上記第３のノイズリダクション済ライブフィールドと、上記第３の遅延されたノイズリダクション済ライブフィールドとを処理することと、
を含む、共有メモリビデオ処理システムにおいて複数のフィールドラインを処理する方法。
（項目２３）
上記バッファリングすることはさらに、上記第２のノイズリダクション済ライブフィールドを格納することと、第１のバッファの以前に格納された内容を第２のバッファに移すこととを含む、
項目２２に記載の方法。
（項目２４）
上記以前に格納された内容は、上記第３のノイズリダクション済ライブフィールドを含む、
項目２３に記載の方法。
（項目２５）
上記第１のノイズリダクション済ライブフィールドは、上記第２のバッファの以前に格納された内容を含む、
項目２４に記載の方法。
（項目２６）
上記遅延されたライブフィールド、上記第１の遅延されたノイズリダクション済ライブフィールド、上記第２の遅延されたノイズリダクション済ライブフィールド、および上記第３の遅延されたノイズリダクション済ライブフィールドはそれぞれ、上記ライブフィールド、上記第１のノイズリダクション済ライブフィールド、上記第２のノイズリダクション済ライブフィールド、上記第３のノイズリダクション済ライブフィールドを少なくとも１つの時間間隔だけ遅延させたものに対応する、
項目２２に記載の方法。
（項目２７）
上記遅延されたライブフィールド、上記第１の遅延されたノイズリダクション済ライブフィールド、上記第２の遅延されたノイズリダクション済ライブフィールド、上記第３の遅延されたノイズリダクション済ライブフィールドはそれぞれ、少なくとも１つの時間間隔だけさらに遅延される、
項目２６に記載の方法。
（項目２８）
上記さらに遅延されたライブフィールド、上記第１のさらに遅延されたノイズリダクション済ライブフィールド、上記第２のさらに遅延されたノイズリダクション済ライブフィールド、上記第３のさらに遅延されたノイズリダクション済ライブフィールドを受け取ることをさらに含む、
項目２７に記載の方法。
（項目２９）
上記バッファリングされるノイズリダクション済ライブフィールドのうち少なくとも１つに対するアクセスを共有することをさらに含む、
項目２２に記載の方法。
（項目３０）
上記遅延されるノイズリダクション済ライブフィールドのうち少なくとも１つに対するアクセスを共有することをさらに含む、
項目２２に記載の方法。
（項目３１）
共有メモリビデオ処理システムであって、
上記システムは、ライブビデオフィールドと、１回遅延されたノイズリダクション済ビデオフィールドと、２回遅延されたノイズリダクション済ビデオフィールドとを含む少なくとも３つの連続するビデオフィールドを処理し、
上記２回遅延されたノイズリダクション済ビデオフィールドを格納する第１の共有フィールドバッファと、
上記ライブビデオフィールドと上記２回遅延されたノイズリダクション済ビデオフィールドとを受け取り、ノイズリダクション済ライブビデオフィールドを供給するノイズリデューサと、
上記ノイズリダクション済ライブビデオフィールドと、上記１回遅延されたノイズリダクション済ビデオフィールドと、上記２回遅延されたノイズリダクション済ビデオフィールドとを受け取り、ノイズリダクション済デインターレース出力ビデオフィールドを供給するデインターレーサと、
を備えるシステム。
（項目３２）
上記１回遅延されたノイズリダクション済ビデオフィールドを格納する第２の共有フィールドバッファ、
をさらに備え、
上記２回遅延されたノイズリダクション済ビデオフィールドは、上記ライブビデオフィールドが受け取られると、第２の共有フィールドバッファから上記第１の共有フィールドバッファへと移され、
上記ノイズリダクション済ライブビデオフィールドは、上記１回遅延されたノイズリダクション済ビデオフィールドとして、上記第２の共有フィールドバッファに格納される、
項目３１に記載のシステム。
（項目３３）
メモリデバイスは上記第１の共有フィールドバッファと上記第２の共有フィールドバッファとを有し、上記メモリデバイスは１つの書き込みポートと２つの読み出しポートとを有する、
項目３２に記載のシステム。
（項目３４）
上記ノイズリデューサは上記書き込みポートと上記２つの読み出しポートのうち一方の読出しポートとを制御するべく動作することができ、上記デインターレーサは上記２つの読み出しポートのうち他方の読み出しポートを制御するべく動作することができる、
項目３３に記載のシステム。
（項目３５）
共有メモリビデオ処理システムを動作させる方法であって、
上記共有メモリビデオ処理システムは、ライブビデオフィールドと、１回遅延されたノイズリダクション済ビデオフィールドと、２回遅延されたノイズリダクション済ビデオフィールドとを含む少なくとも３つの連続するビデオフィールドを処理し、
上記方法は、
第１の共有フィールドバッファに上記２回遅延されたノイズリダクション済ビデオフィールドを格納することと、
ノイズリダクション済ライブビデオフィールドを供給するべく、上記ライブビデオフィールドと上記２回遅延されたノイズリダクション済ビデオフィールドとを処理することと、
ノイズリダクション済デインターレース出力ビデオフィールドを供給するべく、上記第１の共有フィールドバッファからの上記２回遅延されたノイズリダクション済ビデオフィールドと、上記１回遅延されたノイズリダクション済ビデオフィールドと、上記ノイズリダクション済ライブビデオフィールドとを処理することと、
を含む方法。
（項目３６）
上記ライブフィールドを受け取ることと、
上記２回遅延されたノイズリダクション済ビデオフィールドを、第２の共有フィールドバッファから上記第１の共有フィールドバッファへと移すことと、
上記１回遅延されたノイズリダクション済ビデオフィールドを供給するべく、上記ノイズリダクション済ライブビデオフィールドを上記第２の共有フィールドバッファに格納すること、
をさらに含む、項目３５に記載の方法。
（項目３７）
上記２回遅延されたノイズリダクション済ビデオフィールドに対してノイズリダクション処理およびデインターレース処理を実行すること、
をさらに含む、項目３６に記載の方法。
（項目３８）
上記第１のフィールドバッファと上記第２のフィールドバッファとを有するメモリデバイスの２つの読み出しポートのうちの一方と書き込みポートとを制御することと、上記２つの読み出しポートのうち他方を制御すること、
をさらに含む、項目３７に記載の方法。
（項目３９）
メモリデバイスと、
複数のライブフィールドと複数のノイズリダクション済ライブフィールドとを処理する信号処理回路と、
上記複数のライブフィールドのうち少なくとも１つと上記複数のノイズリダクション済ライブフィールドのうち少なくとも１つとを遅延させる遅延回路と、
を備え、
上記信号処理回路はさらに、上記複数のライブフィールドおよび上記複数のノイズリダクション済ライブフィールドと共に、上記少なくとも１つの遅延されたライブフィールドおよび上記少なくとも１つの遅延されたノイズリダクション済ライブフィールドを処理する、
共有メモリビデオ処理システム。
（項目４０）
上記遅延回路は少なくとも１つのフィールドラインバッファを有する、
項目３９に記載のシステム。
（項目４１）
上記信号処理回路はさらに、
上記メモリデバイスの第１の部分から１回遅延されたノイズリダクション済ライブフィールドを読み出して、
上記メモリデバイスの上記第１の部分にノイズリダクション済ライブフィールドを格納して、
上記メモリデバイスの第２の部分から２回遅延されたノイズリダクション済ライブフィールドを読み出して、
上記遅延回路はさらに、上記１回遅延されたノイズリダクション済ライブフィールドおよび上記２回遅延されたノイズリダクション済ライブフィールドをさらに遅延させる、
項目３９に記載のシステム。
（項目４２）
上記信号処理回路はさらに、上記少なくとも１つのライブフィールドと、上記少なくとも１つの遅延されたライブフィールドと、上記２回遅延されたノイズリダクション済ライブフィールドと、上記さらに遅延された２回遅延されたノイズリダクション済ライブフィールドとに対してノイズリダクション処理を実行する、
項目４１に記載のシステム。
（項目４３）
上記信号処理回路はさらに、上記少なくとも１つのノイズリダクション済ライブフィールドと、上記１回遅延されたノイズリダクション済ライブフィールドと、上記さらに遅延された１回遅延されたノイズリダクション済ライブフィールドと、上記さらに遅延された２回遅延されたノイズリダクション済ライブフィールドとに対してデインターレース処理を実行する、
項目４２に記載のシステム。
（項目４４）
上記ノイズリダクション処理および上記デインターレース処理は、フィールドラインバッファから供給される上記さらに遅延された２回遅延されたノイズリダクション済ライブフィールドを共有する、
項目４３に記載のシステム。
（項目４５）
複数のライブフィールドと複数のノイズリダクション済ライブフィールドとを処理することと、
上記複数のライブフィールドのうち少なくとも１つと上記複数のノイズリダクション済ライブフィールドのうち少なくとも１つを遅延させることと、
上記複数のライブフィールドおよび上記複数のノイズリダクション済ライブフィールドと共に、上記少なくとも１つの遅延されたライブフィールドおよび上記少なくとも１つの遅延されたノイズリダクション済ライブフィールドを処理することと、
を含む、共有メモリビデオ処理システムを動作させる方法。
（項目４６）
メモリデバイスの第１の部分から１回遅延されたノイズリダクション済ライブフィールドを読み出すことと、
上記メモリデバイスの上記第１の部分にノイズリダクション済ライブフィールドを格納することと、
上記メモリデバイスの第２の部分から２回遅延されたノイズリダクション済ライブフィールドを読み出すことと、
上記１回遅延されたノイズリダクション済ライブフィールドおよび上記２回遅延されたノイズリダクション済ライブフィールドをさらに遅延させることと、
をさらに含む、項目４５に記載の方法。
（項目４７）
上記少なくとも１つのライブフィールドと、上記少なくとも１つの遅延されたライブフィールドと、上記２回遅延されたノイズリダクション済ライブフィールドと、上記さらに遅延された２回遅延されたノイズリダクション済ライブフィールドとに対してノイズリダクション処理を実行すること、
をさらに含む、項目４５に記載の方法。
（項目４８）
上記少なくとも１つのノイズリダクション済ライブフィールドと、上記１回遅延されたノイズリダクション済ライブフィールドと、上記さらに遅延された１回遅延されたノイズリダクション済ライブフィールドと、上記さらに遅延された２回遅延されたノイズリダクション済ライブフィールドとに対してデインターレース処理を実行すること、
をさらに含む、項目４７に記載の方法。
（項目４９）
上記ノイズリダクション処理および上記デインターレース処理において、上記さらに遅延された２回遅延されたノイズリダクション済ライブフィールドを共有すること、
をさらに含む、項目４８に記載の方法。
（項目５０）
第１のフィールドバッファ手段に第１のノイズリダクション済ライブフィールドを格納する手段と、
第２のフィールドバッファ手段の以前に格納された内容をノイズリデューサ手段とデインターレーサ手段に供給する手段と、
上記第１のフィールドバッファ手段の以前に格納された内容を上記第２のフィールドバッファ手段に移す手段と上記第１のフィールドバッファ手段の上記以前に格納された内容を上記デインターレーサ手段に供給する手段と、
を備える、ビデオ処理システムにおいてメモリを共有する装置。
（項目５１）
上記第１のフィールドバッファ手段の上記以前に格納された内容は第２のノイズリダクション済ライブフィールドを含む、
項目５０に記載の装置。
（項目５２）
上記第２のフィールドバッファ手段の上記以前に格納された内容は第３のノイズリダクション済ライブフィールドを含む、
項目５１に記載の装置。
（項目５３）
上記ノイズリデューサ手段は、第１のライブフィールドと上記第２のフィールドバッファ手段の上記以前に格納された内容とを処理することによって、上記第１のノイズリダクション済ライブフィールドを生成する、
項目５０に記載の装置。
（項目５４）
上記デインターレーサ手段は、上記第１のノイズリダクション済ライブフィールドと、上記第１のフィールドバッファ手段の上記以前に格納された内容と、上記第２のフィールドバッファ手段の上記以前に格納された内容とを処理することによって、デインターレースビデオ出力を生成する、
項目５０に記載の装置。
（項目５５）
上記ノイズリデューサ手段および上記デインターレーサ手段は第１のデバイスにあり、上記第１のフィールドバッファ手段と上記第２のフィールドバッファ手段は第２のデバイスにある、
項目５０に記載の装置。
（項目５６）
第２のノイズリダクション済ライブフィールドを供給するべく、ライブフィールドと、遅延されたライブフィールドと、第１のノイズリダクション済ライブフィールドと、第１の遅延されたノイズリダクション済ライブフィールドとを処理する手段と、
第３のノイズリダクション済ライブフィールドを供給するべく、上記第２のノイズリダクション済ライブフィールドをバッファリングする手段と、
上記ライブフィールドと、上記第１のノイズリダクション済ライブフィールドと、上記第２のノイズリダクション済ライブフィールドと、上記第３のノイズリダクション済ライブフィールドとを遅延し、且つ、上記遅延されたライブフィールドと、上記第１の遅延されたノイズリダクション済ライブフィールドと、第２の遅延されたノイズリダクション済ライブフィールドと、第３の遅延されたノイズリダクション済ライブフィールドとを供給する手段と、
デインターレース出力を供給するべく、上記第１のノイズリダクション済ライブフィールドと、上記第１の遅延されたノイズリダクション済ライブフィールドと、上記第２のノイズリダクション済ライブフィールドと、上記第２の遅延されたノイズリダクション済ライブフィールドと、上記第３のノイズリダクション済ライブフィールドと、上記第３の遅延されたノイズリダクション済ライブフィールドとを処理する手段と、
を備える、共有メモリビデオ処理システムにおいて複数のフィールドラインを処理する装置。
（項目５７）
上記バッファリング手段はさらに、上記第２のノイズリダクション済ライブフィールドを格納する手段と、以前に格納された内容を第１のバッファ手段から第２のバッファ手段に移す手段とを有する、
項目５６に記載の装置。
（項目５８）
上記以前に格納された内容は上記第３のノイズリダクション済ライブフィールドを含む、
項目５７に記載の装置。
（項目５９）
上記第１のノイズリダクション済ライブフィールドは上記第２のバッファ手段の以前に格納された内容を含む、
項目５８に記載の装置。
（項目６０）
上記遅延されたライブフィールド、上記第１の遅延されたノイズリダクション済ライブフィールド、上記第２の遅延されたノイズリダクション済ライブフィールド、上記第３の遅延されたノイズリダクション済ライブフィールドはそれぞれ、上記ライブフィールド、上記第１のノイズリダクション済ライブフィールド、上記第２のノイズリダクション済ライブフィールド、上記第３のノイズリダクション済ライブフィールドを少なくとも１つの時間間隔だけ遅延させたものに対応する、
項目５６に記載の装置。
（項目６１）
上記遅延されたライブフィールド、上記第１の遅延されたノイズリダクション済ライブフィールド、上記第２の遅延されたノイズリダクション済ライブフィールド、上記第３の遅延されたノイズリダクション済ライブフィールドはそれぞれ、少なくとも１つの時間間隔だけさらに遅延される、
項目６０に記載の装置。
（項目６２）
上記さらに遅延されたライブフィールド、上記さらに遅延された第１のノイズリダクション済ライブフィールド、上記さらに遅延された第２のノイズリダクション済ライブフィールド、上記さらに遅延された第３のノイズリダクション済ライブフィールドを受け取る手段、
をさらに備える、項目６１に記載の装置。
（項目６３）
上記複数のバッファリングされたノイズリダクション済ライブフィールドのうち少なくとも１つに対するアクセスを共有する手段、
をさらに備える、項目５６に記載の装置。
（項目６４）
共有メモリビデオ処理システムを動作させる装置であって、
上記システムは、ライブビデオフィールドと、１回遅延されたノイズリダクション済ビデオフィールドと、２回遅延されたノイズリダクション済ビデオフィールドとを含む少なくとも３つの連続するビデオフィールドを処理し、
上記２回遅延されたノイズリダクション済ビデオフィールドを第１の共有フィールドバッファ手段に格納する手段と、
ノイズリダクション済ライブビデオフィールドを供給するべく上記ライブビデオフィールドと上記２回遅延されたノイズリダクション済ビデオフィールドとを処理する手段と、
ノイズリダクション済デインターレース出力ビデオフィールドを供給するべく、上記ノイズリダクション済ライブビデオフィールドと、上記１回遅延されたノイズリダクション済ビデオフィールドと、上記２回遅延されたノイズリダクション済ビデオフィールドとを処理する手段と、
を備える装置。
（項目６５）
上記ライブフィールドを受け取る手段と、
上記２回遅延されたノイズリダクション済ビデオフィールドを、第２の共有フィールドバッファから上記第１の共有フィールドバッファ手段へと移す手段と、
上記１回遅延されたノイズリダクション済ビデオフィールドを供給するべく、上記ノイズリダクション済ライブビデオフィールドを上記第２の共有フィールドバッファ手段に格納する手段と、
をさらに備える、項目６４に記載の装置。
（項目６６）
上記２回遅延されたノイズリダクション済ライブフィールドに対してノイズリダクション処理とデインターレース処理とを実行する手段、
をさらに備える、項目６５に記載の装置。
（項目６７）
書き込みポートと、２つの読み出しポートと、上記第１の共有フィールドバッファ手段と上記第２の共有フィールドバッファ手段とを有するメモリデバイスを制御する手段、
をさらに備える、項目６５に記載の装置。
（項目６８）
複数のライブフィールドと複数のノイズリダクション済ライブフィールドとを処理する手段と、
上記複数のライブフィールドのうち少なくとも１つと上記複数のノイズリダクション済ライブフィールドのうち少なくとも１つとを遅延させる手段と、
上記複数のライブフィールドおよび上記複数のノイズリダクション済ライブフィールドと共に、上記少なくとも１つの遅延されたライブフィールドと上記少なくとも１つの遅延されたノイズリダクション済ライブフィールドとを処理する手段と、
を備える、共有メモリビデオ処理システムを動作させる装置。
（項目６９）
メモリデバイス手段の第１の部分から１回遅延されたノイズリダクション済ライブフィールドを読み出す手段と、
上記メモリデバイス手段の上記第１の部分にノイズリダクション済ライブフィールドを格納する手段と、
上記メモリデバイス手段の第２の部分から２回遅延されたノイズリダクション済ライブフィールドを読み出す手段と、
上記１回遅延されたノイズリダクション済ライブフィールドおよび上記２回遅延されたノイズリダクション済ライブフィールドをさらに遅延させる手段と、
をさらに備える、項目６８に記載の装置。
（項目７０）
上記少なくとも１つのライブフィールドと、上記少なくとも１つの遅延されたライブフィールドインターバルと、上記２回遅延されたノイズリダクション済ライブフィールドと、上記さらに遅延された２回遅延されたノイズリダクション済ライブフィールドとに対してノイズリダクション処理を実行する手段、
をさらに備える、項目６９に記載の装置。
（項目７１）
上記少なくとも１つのノイズリダクション済ライブフィールドと、上記１回遅延されたノイズリダクション済ライブフィールドと、上記さらに遅延された１回遅延されたノイズリダクション済ライブフィールドと、上記さらに遅延された２回遅延されたノイズリダクション済ライブフィールドとに対してデインターレース処理を実行する手段、
をさらに備える、項目７０に記載の装置。
（項目７２）
上記ノイズリダクション処理および上記デインターレース処理において、上記さらに遅延された２回遅延されたノイズリダクション済ライブフィールドを共有する手段、
をさらに備える、項目７１に記載の装置。